(57)【特許請求の範囲】
【請求項１】
壁面に手摺部材を取着するための手摺取付基台を備えた手摺であって、
前記壁面に密着され、接着剤が塗布される接着剤塗布面を有するベース部と、
前記接着剤塗布面とは反対側の前記ベース部の表面側に所定の空間を有して形成された前記手摺部材を取り付ける取付面であって、前記手摺部材を取り着けるために当該取付面側から螺着したビスが当該空間部によって壁面に至らないようにされた取付面と、
を備えて構成され、
前記ベース部の前記接着剤塗布面には当該ベース部の端部に取り付けられる連結部材又は保護部材の案内片が挿入される凹部が長手方向に沿って形成されていると共に、前記接着剤塗布面とは反対側の前記ベース部の上面には、長手方向に溝部が形成され、該溝部には前記壁面に固定するためのネジ部材が挿通されるネジ孔が穿設されていることを特徴とする手摺取付基台を備えた手摺。
【請求項２】
請求項１に記載の手摺取付基台を備えた手摺において、
前記溝部にはカバー部材が配設可能とされていることを特徴とする手摺取付基台を備えた手摺。
【請求項３】
請求項２に記載の手摺取付基台を備えた手摺において、
前記手摺取付基台は設置すべき手摺部材の長さに合わせて切断可能とされていることを特徴とする手摺取付基台を備えた手摺。
【発明の詳細な説明】
【０００１】
【発明の属する技術分野】
本発明は、手摺取付基台を備えた手摺に関し、さらに詳しくは、例えば、浴室やトイレ等の壁面の脆弱な壁面に手摺を取り付けるような場合に使用される手摺取付基台を備えた手摺に関する。
【０００２】
【従来の技術】
従来、浴室やトイレ等の壁材には肉厚の薄いＦＲＰ又はプラスチック製の板材又はタイル等が使用されている。かかる壁面に手摺を取り付ける場合に、直接壁面にビスや釘を打って手摺を固定すると手摺にある程度の力が加わった場合に壁面がその加重に耐え切れずビスや釘が抜け落ちてしまったり壁面が砕けたりする等の事故を起こすおそれがある。そのため、そのような壁面に手摺を取り付ける場合には、手摺を設置すべき場所を決定した上でビスや釘が打たれる箇所の壁面の裏側に予め補強材を配設しておき、この補強部材を介して手摺を取り付けることが行われていた。
【０００３】
しかし、当初は不要と思われていた壁面に後から手摺を設置したい場合も生じる。かかる場合には、通常、ビスや釘を打つべき壁面の裏側に補強部材が配設されていないことが多い。そこで、ビスや釘等を使用せずに手摺を固定する方法の一つとして、接着剤で壁面に固定する方法がある。そのような方法で取り付ける後付けタイプの手摺の一つとして、図７に示すものが知られている。図７に示した手摺１００は、概略として、端部が壁面方向に略直角に曲げられた手摺部材７の両端部に接着剤により壁面に接着される接着面部１０３、１０３を備えたブラケット１０１、１０１が取り付けられて形成されている。
【０００４】
ブラケット１０１、１０１は、浴室の壁面に密着される略円形の接着面部１０３、１０３を有し、この接着面部１０３、１０３に接着剤１０５、１０５を塗布するようになっている。この手摺１００の設置方法としては、まず、手摺１００を設置すべき箇所を決定し、接着面部１０３、１０３の位置の確認を行う。そして、接着面部１０３、１０３が取り付けられる部分の壁面の水分や汚れをよく拭き取った後、接着面部１０３、１０３に接着剤を塗布し、壁面の所定位置にしっかりと押圧してブラケット１０１、１０１の接着を行う。接着剤が固化するまで、通常、１２〜２４時間程度放置する。これにより手摺１００はユニットバスの壁面にしっかりと固定され、以後使用することができる。
【０００５】
【発明が解決しようとする課題】
しかし、接着剤による固定にあっては、長期の使用により接着力が低下するおそれがある。また、浴室等に取り付けた場合には、冬場などで気温が低くなると接着剤が脆くなり、接着力が低下して接着面部が壁面から剥離して手摺が外れる等の事故を起こすおそれがある。
また、上述した従来の手摺１００にあっては、接着面部１０３、１０３の接着面積が限られているため、耐えられる最大荷重をあまり大きすることができなかった。
【０００６】
本発明は上記の問題点に鑑みてなされたもので、補強部材が配設されていない壁面であっても後付けでありながら手摺を強固に取り付けることが可能な手摺取付基台を備えた手摺を提供することを目的とする。また、本発明は、取り付けるべき手摺の長さ形状に合わせて簡単に配置できる手摺取付基台を備えた手摺を提供することを目的とする。
【０００７】
【課題を解決するための手段】
上記課題を解決するために請求項１記載の発明は、壁面に手摺部材を取着するための手摺取付基台を備えた手摺であって、壁面に密着され、接着剤が塗布される接着剤塗布面を有するベース部と、接着剤塗布面とは反対側のベース部の表面側に所定の空間を有して形成された手摺部材を取り付ける取付面であって、手摺部材を取り着けるために取付面側から螺着したビスが空間部によって壁面に至らないようにされた取付面とを備えて構成され、ベース部の接着剤塗布面にはベース部の端部に取り付けられる連結部材又は保護部材の案内片が挿入される凹部が長手方向に沿って形成されていると共に、接着剤塗布面とは反対側のベース部の上面には、長手方向に溝部が形成され、溝部には壁面に固定するためのネジ部材が挿通されるネジ孔が穿設されていることを特徴とする。
【０００８】
上記課題を解決するために請求項２記載の発明は、請求項１に請求項１に記載の手摺取付基台を備えた手摺において、溝部にはカバー部材が配設可能とされていることを特徴とする。
【０００９】
上記課題を解決するために請求項３記載の発明は、請求項２に記載の手摺取付基台を備えた手摺において、手摺取付基台は設置すべき手摺部材の長さに合わせて切断可能とされていることを特徴とする。
【００１３】
【発明の実施の形態】
以下、本発明に係る手摺取付基台を備えた手摺の一実施形態について図面を参照しつつ説明する。ここで、図１は本発明に係る手摺取付基台を備えた手摺の一実施形態の斜視図、図２はその分解斜視図である。まず、図１及び図２に示された手摺取付基台を備えた手摺１は、概略として、手摺部材３を取り付けるための手摺取付基台１０と、手摺取付基台１０と手摺取付基台１０とを連結する連結部材３０と、手摺取付基台１０の端部をカバーする保護部材４０とを備えて構成されている。
【００１４】
手摺取付基台１０は、図３に示すように、その平面形状が取り付けるべき手摺とほぼ同じ長さの長辺を有する略長方形をした板状体をなし、軽金属、合成樹脂、木製等の材料により形成されている。本実施形態における手摺取付基台１０は長尺に形成されたものを任意の長さで切断して使用できるようにされている。
また、手摺取付基台１０は、その断面形状を示した図４に示されているように、接着剤が塗布される接着剤塗布面１７ａを有するベース部１７と、ベース部１７の上面にベース部１７との間に所定の空間を有して配設された取付面１４を備えて構成されている。接着剤塗布面１７ａは、その全面が浴室等の壁面に密着するように平坦な面とされている。図示されているように、従来の手摺１００の接着面部１０３、１０３に比べて壁面に対して広い面積で接着されるので従来の手摺１００より大きな加重に耐えることが可能となる。ここで、接着剤は、例えば、エポキシ樹脂系の高粘度接着剤等が用いられる。
【００１５】
ベース部１７の表面には、長手方向に沿って両端近傍に溝部１１、１１が形成されている。そして、溝部１１、１１にはネジ部材１３ａ、１３ａが挿通される複数のネジ孔１３、１３が所定間隔をもって穿設されている。また、溝部１１には、ネジ部材１３ａの頭部に接触して怪我をしないため及びそのような固定構造を覆い隠して見た目にもすっきりした印象を与えるために長尺のカバー部材２０が配設されるようになっている。カバー部材２０は、溝部１１と同じ長さを有し、その断面形状は、図４に示すように、略コの字形をなしている。溝部１１に挿入されるカバー部材２０の先端部には溝部１１の両壁面に形成された係合凹部１１ａ、１１ａと係合する係合突起２３、２３が形成されている。これによりカバー部材２０は容易に脱落することがないように溝部１１にしっかりと固定される。尚、溝部１１にカバー部材２０を嵌合した状態においてカバー部材２０の表面と取付面１４の表面とは略同一平面上に位置するようになっている。
【００１６】
ベース部１７のほぼ中央部には、後述する連結部材３０及び保護部材４０の案内片３１、４１が挿入される凹部１９が手摺取付基台１０の長手方向に沿って形成されている。
【００１７】
取付面１４には、図２に示すように、所定の形状に組み合わされた手摺２の取付部７、７が取り付け固定されるようになっている。この手摺２は、ステンレス等の金属製又は木製により形成された２本の丸棒状の手摺部材３、３が略直角に曲げられた継手５を介して接続されている。取り付け時における壁面方向に屈曲した手摺部材３、３の端部及び継手５には、取付面１４に当接する取付部７、７が配置されており、取付部７、７には、複数のネジ孔８、８が穿設され、ビス８ａ、８ａにより取付面１４に締着されるようになっている。尚、取付部７、７には、ビス８ａ、８ａを覆い隠して見た目にもすっきりした印象を与えるためのカバー７ａ、７ａが取り付けられるようになっている。
【００１８】
連結部材３０は、図２に示すように、２つの手摺取付基台１０、１０をＬ字状に繋ぎ合わせる部材である。すなわち、連結部材３０は、図５に示すように、手摺取付基台１０の端部と接続される２つの腕部３３、３３がＬ字状に形成された端部に設けられていると共に、各腕部３３、３３にはそれぞれ手摺取付基台１０のベース部１７に形成された凹部１９に挿入される案内片３１、３１を備えている。そして、連結部材３０の両端に位置する各腕部３３、３３には、手摺取付基台１０と接続された際にその接続面を覆うカバー３３ａ、３３ａを備えている。また、連結部材３０の表面部は、継手５から伸びる取付部７を支持することができる程度の面積を有し、さらにその表面には凹部３５、３５が形成されている。この凹部３５、３５内には、それぞれネジ部材３７ａ、３７ａを挿通するためのネジ孔３７、３７が穿設されている。ここで、連結部材３０には継手５から伸びる取付部７が配置されネジ孔３７、３７を覆い隠すのでネジ孔３７、３７をカバーするカバー部材は設けられていない。また、連結部材３０の底面にも接着剤が塗布される図示しない接着剤塗布面が形成されている。尚、図５に示された連結部材３０は、手摺取付基台１０をＬ字状に連結するタイプのものであるが、連結部材３０の形状はこれに限るものではなく、腕部３３、３３同士のなす角度は任意のものを採用可能である。また、腕部３３、３３を互いに直線上に配置すれば手摺取付基台１０を長手方向に連続して連結させることも可能となる。
【００１９】
保護部材４０は、図６に示すように、手摺取付基台１０の端部をカバーするための部材であり、手摺取付基台１０のベース部１７の凹部１９に挿入される案内片４１と、手摺取付基台１０と接続された際にその接続面を覆うカバー４３が形成されて構成されている。これにより、手摺取付基台１０の端部により怪我をすることがなく見た目にもすっきりした手摺取付基台となる。
【００２０】
尚、上述の実施形態にあっては、手摺取付基台１０は取り付けるべき手摺３、３とほぼ同じ長さとされているが、手摺部材３の取付部７を保持できる程度の大きさとすることも可能である。
【００２１】
次に、上述した手摺取付基台を備えた手摺の使用方法を説明する。まず、浴室やトイレ等の壁面に設置すべき手摺部材３の長さ及び形状を決定し、その取り付け位置を確認する。そして、手摺取付基台１０を所定の長さに切断すると共に、設置すべき手摺部材３及び継手５の取付部７、７がそれぞれ手摺取付基台１０の取付面１４及び連結部材３０の表面部上に位置するように連結部材３０を用いて手摺取付基台１０を所定の形状に組み立てる。組み立ては手摺取付基台１０の凹部１９に連結部材３０の案内片３１を挿入し、手摺取付基台１０の端面と連結部材３０の腕部３３の端面との接合面を接着剤等を用いて結着し両者の接続を行う。また、連結部材３０が取り付けられない手摺取付基台１０の端部には連結部材３０の場合と同様の方法により保護部材４０を取り付ける。
【００２２】
次に、手摺取付基台１０の接着剤塗布面１７ａ及び連結部材３０の図示しない接着剤塗布面が位置する部分の壁面の水分や汚れをよく拭き取った後、手摺取付基台１０の接着剤塗布面１７ａ及び連結部材３０の図示しない接着剤塗布面にエポキシ樹脂系の高粘度接着剤を塗布し、壁面の所定位置にしっかりと押圧して接着を行う。接着剤がある程度固着したら、溝部１１に穿設されたネジ孔１３、１３にネジ部材１３ａ、１３ａを挿通して手摺取付基台１０を壁面にさらに固定し、溝部１１にカバー部材２０を嵌合する。同様に、連結部材３０のネジ孔３７、３７にネジ部材３７ａ、３７ａを挿通して連結部材３０を壁面にさらに固定する。
【００２３】
そして、壁面に固定された手摺取付基台１０の取付面１４及び連結部材３０の表面部に手摺部材３、３及び継手５の取付部７、７を位置させ、取付部７、７に穿設された複数のネジ孔８、８にビス８ａ、８ａを挿通してしっかりと締着する。手摺２がしっかりと固定されたら最後に、取付部７、７にカバー７ａ、７ａを配してビス８ａ、８ａを覆い隠す。
【００２４】
【発明の効果】
以上のように、本発明に係る手摺取付基台を備えた手摺によれば、手摺取付基台に手摺を固定すると共に手摺取付基台は接着剤とネジ部材により壁面に固定されるので、補強部材が配設されていない壁面であっても後付けでありながら手摺を強固に取り付けることができるという効果がある。しかも、基台、連結部材及び保護部材を適宜組み合わせることにより取り付けるべき手摺の長さ及び形状に合わせた手摺取付基台を形成することができるという効果がある。
【図面の簡単な説明】
【図１】本発明に係る手摺取付基台を備えた手摺の一実施形態の斜視図である。
【図２】図１の手摺取付基台を備えた手摺の分解斜視図である。
【図３】基台の平面図である。
【図４】基台に取付部を取り付けた状態の側面断面図である。
【図５】連結部材の平面図である。
【図６】保護部材の平面図である。
【図７】従来の接着剤固定タイプの手摺の斜視図である。
【符号の説明】
１      手摺取付基台を備えた手摺
２      手摺
３      手摺部材
５      継手
７      取付部
７ａ      カバー
８      ネジ孔
８ａ      ビス
１０      手摺取付基台
１１      溝部
１３      ネジ孔
１３ａ      ネジ部材
１４      取付面
２０      カバー部材
３０      連結部材
３１      案内片
３３      腕部
３７      ネジ孔
３７ａ      ネジ部材
４０      保護部材
４１      案内片ｚ
４３      カバー
【図１】
0003975068.tif 000002
【図２】
0003975068.tif 000003
【図３】
0003975068.tif 000004
【図４】
0003975068.tif 000005
【図５】
0003975068.tif 000006
【図６】
0003975068.tif 000007
【図７】
0003975068.tif 000008